(57)【要約】【課題】バーナと電気ヒータを備える温風暖房機において、電気ヒータによる加熱を開始する際に、送風ファンを適切に動作させることが可能な技術を提供する。【解決手段】本明細書は、温風暖房機を開示する。温風暖房機は、給気口と吹出口を備える筐体と、燃料を燃焼させて空気を加熱するバーナと、電力を熱に変換して空気を加熱する電気ヒータと、筐体の内部の温度を検出する過熱防止温度センサと、給気口を介して室内から空気を取り込み、バーナと電気ヒータを通過させて、吹出口を介して室内に空気を送り出す送風ファンと、制御装置を備えている。制御装置は、電気ヒータによる加熱を開始する際の過熱防止温度センサの検出値に応じて、電気ヒータによる加熱を開始する際に、電気ヒータによる加熱において送風ファンが通常行なう通常ファン動作とは異なる強制ファン動作を実行する。【選択図】図８
2018141578.tif 000002
【特許請求の範囲】
【請求項１】
給気口と吹出口を備える筐体と、
燃料を燃焼させて空気を加熱するバーナと、
電力を熱に変換して空気を加熱する電気ヒータと、
筐体の内部の温度を検出する過熱防止温度センサと、
給気口を介して室内から空気を取り込み、バーナと電気ヒータを通過させて、吹出口を介して室内に空気を送り出す送風ファンと、
制御装置を備えており、
制御装置が、電気ヒータによる加熱を開始する際の過熱防止温度センサの検出値に応じて、電気ヒータによる加熱を開始する際に、電気ヒータによる加熱において送風ファンが通常行なう通常ファン動作とは異なる強制ファン動作を送風ファンに実行させる、温風暖房機。
【請求項２】
制御装置が、電気ヒータによる加熱を開始する際の過熱防止温度センサの検出値が高い場合に、強制ファン動作における送風ファンの送風量を、通常ファン動作における送風ファンの送風量よりも高くする、請求項１の温風暖房機。
【請求項３】
制御装置が、電気ヒータの加熱能力が低い場合に、電気ヒータの加熱能力が高い場合に比べて、強制ファン動作の継続時間を短くする、請求項２の温風暖房機。
【請求項４】
制御装置が、電気ヒータによる加熱を開始する際の過熱防止温度センサの検出値が低い場合に、強制ファン動作における送風ファンの送風量を、通常ファン動作における送風ファンの送風量よりも低くする、請求項１から３の何れか一項の温風暖房機。
【請求項５】
給気口と吹出口を備える筐体と、
燃料を燃焼させて空気を加熱するバーナと、
電力を熱に変換して空気を加熱する電気ヒータと、
筐体の内部の温度を検出する過熱防止温度センサと、
給気口を介して室内から空気を取り込み、バーナと電気ヒータを通過させて、吹出口を介して室内に空気を送り出す送風ファンと、
制御装置を備えており、
制御装置が、電気ヒータによる加熱を開始する前のバーナによる加熱態様と、電気ヒータによる加熱を開始するタイミングに応じて、電気ヒータによる加熱を開始する際に、電気ヒータによる加熱において送風ファンが通常行なう通常ファン動作とは異なる強制ファン動作を送風ファンに実行させる、温風暖房機。
【請求項６】
制御装置が、電気ヒータによる加熱を開始する前の最後にバーナの加熱能力が高い状態であった時点から電気ヒータによる加熱を開始する時点までの経過時間が短い場合に、強制ファン動作における送風ファンの送風量を、通常ファン動作における送風ファンの送風量よりも高くする、請求項５の温風暖房機。
【請求項７】
制御装置が、電気ヒータの加熱能力が低い場合に、電気ヒータの加熱能力が高い場合に比べて、強制ファン動作の継続時間を短くする、請求項６の温風暖房機。
【請求項８】
制御装置が、電気ヒータによる加熱を開始する前の最後にバーナの加熱能力が高い状態であった時点から電気ヒータによる加熱を開始する時点までの経過時間が長い場合に、強制ファン動作における送風ファンの送風量を、通常ファン動作における送風ファンの送風量よりも低くする、請求項５から７の何れか一項の温風暖房機。
【発明の詳細な説明】
【技術分野】
【０００１】
本明細書は、温風暖房機に関する。
【背景技術】
【０００２】
特許文献１に、給気口と吹出口を備える筐体と、燃料を燃焼させて空気を加熱するバーナと、電力を熱に変換して空気を加熱する電気ヒータと、給気口を介して室内から空気を取り込み、バーナと電気ヒータを通過させて、吹出口を介して室内に空気を送り出す送風ファンと、制御装置を備える温風暖房機が開示されている。
【先行技術文献】
【特許文献】
【０００３】
【特許文献１】特開平７−３１８１６６号公報
【発明の概要】
【発明が解決しようとする課題】
【０００４】
特許文献１の技術では、バーナが消火した後も送風ファンを駆動し続けて、所定時間が経過した後に電気ヒータによる加熱を開始する。しかしながら、電気ヒータは、加熱を開始してから温度が上昇するまである程度の時間を要するため、バーナを消火した後に、速やかに電気ヒータによる加熱を開始できることが好ましい。
【０００５】
バーナを消火した後に、所望のタイミングで電気ヒータによる加熱を開始できるようにする場合、電気ヒータによる加熱を開始するタイミングによって、温風暖房機の内部の状態は異なるものとなる。このため、電気ヒータによる加熱を開始する際に、電気ヒータによる加熱において送風ファンが通常行なう通常ファン動作を行なうと、温風暖房機の動作に問題を生じるおそれがある。例えば、温風暖房機が、筐体の内部の温度を検出する過熱防止温度センサを備えている場合、バーナを消火した時点では、過熱防止温度センサがバーナによる加熱によって高温となっている。過熱防止温度センサがバーナによる加熱によって高温となっている時に、電気ヒータによる加熱を開始し、かつ送風ファンが通常ファン動作を行なうと、電気ヒータが正常な温度で動作しているにも関わらず、過熱防止温度センサが異常な高温を検知してしまうおそれがある。あるいは、温風暖房機の内部が十分に冷却されている時に、電気ヒータによる加熱を開始し、かつ送風ファンが通常ファン動作を行なうと、電気ヒータの温度が上昇するまでの間、ユーザに冷風感を与えてしまうおそれがある。
【０００６】
本明細書では、上記課題を解決する技術を提供する。本明細書では、バーナと電気ヒータを備える温風暖房機において、電気ヒータによる加熱を開始する際に、送風ファンを適切に動作させることが可能な技術を提供する。
【課題を解決するための手段】
【０００７】
本明細書は、温風暖房機を開示する。温風暖房機は、給気口と吹出口を備える筐体と、燃料を燃焼させて空気を加熱するバーナと、電力を熱に変換して空気を加熱する電気ヒータと、筐体の内部の温度を検出する過熱防止温度センサと、給気口を介して室内から空気を取り込み、バーナと電気ヒータを通過させて、吹出口を介して室内に空気を送り出す送風ファンと、制御装置を備えている。制御装置は、電気ヒータによる加熱を開始する際の過熱防止温度センサの検出値に応じて、電気ヒータによる加熱を開始する際に、電気ヒータによる加熱において送風ファンが通常行なう通常ファン動作とは異なる強制ファン動作を実行する。
【０００８】
上記の温風暖房機によれば、電気ヒータによる加熱を開始する際に、過熱防止温度センサの検出値に応じて、送風ファンが強制ファン動作を実行する。これによって、電気ヒータによる加熱を開始する際に、送風ファンを適切に動作させることができる。なお、過熱防止温度センサの検出値としては、電気ヒータによる加熱を開始する前のものを用いてもよいし、電気ヒータによる加熱を開始した時点のものを用いてもよいし、電気ヒータによる加熱を開始した後のものを用いてもよい。また、強制ファン動作の実行は、電気ヒータによる加熱を開始する前からであってもよいし、電気ヒータによる加熱の開始と同時であってもよいし、電気ヒータによる加熱を開始した後からであってもよい。
【０００９】
上記の温風暖房機は、制御装置が、電気ヒータによる加熱を開始する際の過熱防止温度センサの検出値が高い場合に、強制ファン動作における送風ファンの送風量を、通常ファン動作における送風ファンの送風量よりも高くしてもよい。
【００１０】
上記の温風暖房機によれば、バーナを消火した後に、電気ヒータによる加熱を開始する場合に、バーナによる加熱によって過熱防止温度センサが高温となっている場合には、強制ファン動作によって送風ファンの送風量を高くすることで、過熱防止温度センサを冷却することができる。これによって、電気ヒータが正常な温度で動作しているにも関わらず、過熱防止温度センサが異常な高温を検知してしまうことを防止することができる。
【００１１】
上記の温風暖房機は、制御装置が、電気ヒータの加熱能力が低い場合に、電気ヒータの加熱能力が高い場合に比べて、強制ファン動作の継続時間を短くしてもよい。
【００１２】
電気ヒータの加熱能力が低い場合は、強制ファン動作を長時間にわたって行なうと、ユーザに冷風感を与えるおそれがある。上記の温風暖房機によれば、電気ヒータの加熱能力が低い場合であっても、ユーザに冷風感を与えることを抑制することができる。
【００１３】
上記の温風暖房機は、制御装置が、電気ヒータによる加熱を開始する際の過熱防止温度センサの検出値が低い場合に、強制ファン動作における送風ファンの送風量を、通常ファン動作における送風ファンの送風量よりも低くしてもよい。
【００１４】
上記の温風暖房機によれば、温風暖房機の内部が十分に冷却されている時に、電気ヒータによる加熱を開始する場合に、電気ヒータの温度が上昇するまでの間、強制ファン動作によって送風ファンの送風量を低くすることで、ユーザに冷風感を与えてしまうことを抑制することができる。
【００１５】
本明細書は別の温風暖房機も開示する。温風暖房機は、給気口と吹出口を備える筐体と、燃料を燃焼させて空気を加熱するバーナと、電力を熱に変換して空気を加熱する電気ヒータと、筐体の内部の温度を検出する過熱防止温度センサと、給気口を介して室内から空気を取り込み、バーナと電気ヒータを通過させて、吹出口を介して室内に空気を送り出す送風ファンと、制御装置を備えている。制御装置は、電気ヒータによる加熱を開始する前のバーナによる加熱態様と、電気ヒータによる加熱を開始するタイミングに応じて、電気ヒータによる加熱を開始する際に、電気ヒータによる加熱において送風ファンが通常行なう通常ファン動作とは異なる強制ファン動作を送風ファンに実行させる。
【００１６】
上記の温風暖房機によれば、電気ヒータによる加熱を開始する際に、電気ヒータによる加熱を開始する前のバーナによる加熱態様と、電気ヒータによる加熱を開始するタイミングに応じて、送風ファンが強制ファン動作を実行する。これによって、電気ヒータによる加熱を開始する際に、送風ファンを適切に動作させることができる。なお、強制ファン動作の実行は、電気ヒータによる加熱を開始する前からであってもよいし、電気ヒータによる加熱の開始と同時であってもよいし、電気ヒータによる加熱を開始した後からであってもよい。
【００１７】
上記の温風暖房機は、制御装置が、電気ヒータによる加熱を開始する前の最後にバーナの加熱能力が高い状態であった時点から電気ヒータによる加熱を開始する時点までの経過時間が短い場合に、強制ファン動作における送風ファンの送風量を、通常ファン動作における送風ファンの送風量よりも高くしてもよい。
【００１８】
電気ヒータによる加熱を開始する前の最後にバーナの加熱能力が高い状態であった時点から電気ヒータによる加熱を開始する時点までの経過時間が短い場合には、過熱防止温度センサは、バーナによる加熱によって高温となっていると考えられる。上記の温風暖房機によれば、このような場合に、強制ファン動作によって送風ファンの送風量を高くすることで、過熱防止温度センサを冷却することができる。これによって、電気ヒータが正常な温度で動作しているにも関わらず、過熱防止温度センサが異常な高温を検知してしまうことを防止することができる。
【００１９】
上記の温風暖房機は、制御装置が、電気ヒータの加熱能力が低い場合に、電気ヒータの加熱能力が高い場合に比べて、強制ファン動作の継続時間を短くしてもよい。
【００２０】
電気ヒータの加熱能力が低い場合は、強制ファン動作を長時間にわたって行なうと、ユーザに冷風感を与えるおそれがある。上記の温風暖房機によれば、電気ヒータの加熱能力が低い場合であっても、ユーザに冷風感を与えることを抑制することができる。
【００２１】
上記の温風暖房機は、制御装置が、電気ヒータによる加熱を開始する前の最後にバーナの加熱能力が高い状態であった時点から電気ヒータによる加熱を開始する時点までの経過時間が長い場合に、強制ファン動作における送風ファンの送風量を、通常ファン動作における送風ファンの送風量よりも低くしてもよい。
【００２２】
電気ヒータによる加熱を開始する前の最後にバーナの加熱能力が高い状態であった時点から電気ヒータによる加熱を開始する時点までの経過時間が長い場合には、温風暖房機の内部が十分に冷却されていると考えられる。上記の温風暖房機によれば、このような場合に、電気ヒータの温度が上昇するまでの間、強制ファン動作によって送風ファンの送風量を低くすることで、ユーザに冷風感を与えてしまうことを抑制することができる。
【図面の簡単な説明】
【００２３】
【図１】実施例に係るガスファンヒータ２の構成を模式的に示す図。
【図２】実施例に係るガスファンヒータ２の電気系統を模式的に示す図。
【図３】実施例に係るガスファンヒータ２の動作を説明するフローチャート。
【図４】実施例に係るガスファンヒータ２の動作を説明するフローチャート。
【図５】実施例に係るガスファンヒータ２の動作を説明するフローチャート。
【図６】実施例に係るガスファンヒータ２の動作を説明するフローチャート。
【図７】実施例に係るガスファンヒータ２の動作を説明するフローチャート。
【図８】実施例に係るガスファンヒータ２におけるバーナ１０による加熱態様と、電気ヒータ２４による加熱態様と、送風ファン１２による送風態様の経時的な変化の例を示す図。
【図９】実施例に係るガスファンヒータ２におけるバーナ１０による加熱態様と、電気ヒータ２４による加熱態様と、送風ファン１２による送風態様の経時的な変化の例を示す図。
【図１０】実施例に係るガスファンヒータ２におけるバーナ１０による加熱態様と、電気ヒータ２４による加熱態様と、送風ファン１２による送風態様の経時的な変化の例を示す図。
【図１１】実施例に係るガスファンヒータ２におけるバーナ１０による加熱態様と、電気ヒータ２４による加熱態様と、送風ファン１２による送風態様の経時的な変化の例を示す図。
【図１２】実施例に係るガスファンヒータ２におけるバーナ１０による加熱態様と、電気ヒータ２４による加熱態様と、送風ファン１２による送風態様の経時的な変化の例を示す図。
【図１３】実施例に係るガスファンヒータ２におけるバーナ１０による加熱態様と、電気ヒータ２４による加熱態様と、送風ファン１２による送風態様の経時的な変化の例を示す図。
【図１４】実施例に係るガスファンヒータ２におけるバーナ１０による加熱態様と、電気ヒータ２４による加熱態様と、送風ファン１２による送風態様の経時的な変化の例を示す図。
【発明を実施するための形態】
【００２４】
（実施例）
図１を参照しながら、温風暖房機の一実施形態に係るガスファンヒータ２について説明する。ガスファンヒータ２は、背面の給気口４を介して室内から空気を取り込み、吸い込んだ空気を燃焼用空気として燃料ガスを燃焼させ、燃料ガスの燃焼によって加熱された空気を前面の吹出口６から室内に送り出すことで、室内を暖房する。ガスファンヒータ２は、いわゆる開放式のガスファンヒータである。
【００２５】
ガスファンヒータ２は、燃料ガスを供給するガス供給管８と、ガス供給管８からの燃料ガスを燃焼させるバーナ１０と、給気口４から室内の空気を取り込み、加熱された空気を吹出口６から室内に送り出す送風ファン１２と、ガスファンヒータ２の運転を制御する制御部１４と、ユーザがガスファンヒータ２の運転を操作する操作部１６と、これらを収容する筐体１８を備えている。
【００２６】
給気口４は筐体１８の背面の上方側に形成されており、吹出口６は筐体１８の前面の下方側に形成されている。筐体１８の内部には、給気口４から流入した空気の一部をバーナ１０に燃焼用空気として供給し、残りをバーナ１０の燃焼排ガスと混合させた状態で吹出口６に導く内部空気通路２０が形成されている。送風ファン１２は、内部空気通路２０内でバーナ１０よりも下流側（バーナ１０と吹出口６の間）に配置されている。なお、給気口４には、塵埃等の侵入を抑制するエアフィルタ２２が設けられている。
【００２７】
内部空気通路２０内の、送風ファン１２と吹出口６の間には、電気ヒータ２４が設けられている。電気ヒータ２４は、通電によって発熱し、内部空気通路２０を通過する空気を加熱する。電気ヒータ２４は、複数の発熱部位を備えており、それぞれの発熱部位ごとに通電のオン／オフを切り換え可能である。電気ヒータ２４は、通電する発熱部位の個数を切り換えることで、加熱能力を切り換えることができる。
【００２８】
ガス供給管８には、ガス供給管８を開閉する電磁式の開閉弁２６と、ガス供給管８の開度を調整するモータ駆動式の流量調整弁２７が設けられている。ガス供給管８には、ガスファンヒータ２の外部から都市ガス（例えば１３Ａなどの、メタンガス（ＣＨ４）を主成分とするガス）などの燃料ガスが供給される。バーナ１０には、その炎口の上方にイグナイタ２８が設けられている。バーナ１０は、燃焼させる燃料ガスの流量を調整することで、加熱能力を調整可能である。
【００２９】
筐体１８の背面には、室内温度センサ３０が設けられている。室内温度センサ３０は給気口４から筐体１８内に吸い込まれる室内の空気の温度を検出する。室内温度センサ３０としては、熱電対やサーミスタなどの各種形式のものを用いることができる。
【００３０】
内部空気通路２０には、過熱防止温度センサ３２が設けられている。過熱防止温度センサ３２は、筐体１８の内部の温度を検出する。過熱防止温度センサ３２としては、熱電対やサーミスタなどの各種の形式のものを用いることができる。
【００３１】
図２に示すように、操作部１６は、ユーザがガスファンヒータ２の運転開始および運転停止を指示する運転スイッチ３４、ガスファンヒータ２の運転モードを選択するモード選択部３６、暖房目標温度を設定する温度設定部３８、運転モード、暖房目標温度、室内温度等の各種情報を表示する表示部４０、ユーザに異常の発生を報知する異常報知ブザー４１などを備えている。ガスファンヒータ２の運転モードは、バーナ単独モード、電気ヒータ単独モード、およびバーナ電気ヒータ併用モードのうちから選択される。バーナ単独モードでは、ガスファンヒータ２は、バーナ１０による空気の加熱を行い、電気ヒータ２４による空気の加熱を行わない。電気ヒータ単独モードでは、ガスファンヒータ２は、電気ヒータ２４による空気の加熱を行い、バーナ１０による空気の加熱を行わない。バーナ電気ヒータ併用モードでは、ガスファンヒータ２は、まずバーナ１０による空気の加熱を所定時間（例えば１時間）行った後、バーナ１０による空気の加熱を終了して、その後は電気ヒータ２４による空気の加熱を行なう。
【００３２】
制御部１４は、送風ファン１２、電気ヒータ２４、開閉弁２６、流量調整弁２７、イグナイタ２８などの動作を制御する。制御部１４は、各種のプログラムやデータを記憶しておくためのメモリ４２と、計時用のタイマ４４を備えている。
【００３３】
制御部１４は、バーナ１０による空気の加熱を行なう際に、バーナ１０の加熱能力を多段階に調整可能である。本実施例では、バーナ１０の加熱能力を、強と弱の二段階で調整可能である場合を例として説明する。制御部１４は、バーナ１０の加熱能力に応じて、流量調整弁２７の開度を調整してバーナ１０への燃料ガスの供給量を調整するとともに、送風ファン１２の回転数を調整して空気の送風量を調整する。
【００３４】
制御部１４は、電気ヒータ２４による空気の加熱を行なう際に、電気ヒータ２４の加熱能力を多段階に調整可能である。本実施例では、電気ヒータ２４の加熱能力を、強と弱の二段階で調整可能である場合を例として説明する。制御部１４は、電気ヒータ２４の加熱能力に応じて、電気ヒータ２４へ供給する電力を調整するとともに、送風ファン１２の回転数を調整して空気の送風量を調整する。
【００３５】
制御部１４は、電気ヒータ２４による空気の加熱を行なう際に、過熱防止温度センサ３２で検出される温度が、所定の上限温度（例えば６０℃）を超えると、異常停止処理を行なう。制御部１４は、異常停止処理において、電気ヒータ２４による加熱を停止し、異常報知ブザー４１によってユーザに異常の発生を報知するとともに、表示部４０に過熱防止温度センサ３２で異常な高温が検出された旨を表示する。これによって、電気ヒータ２４による加熱を行っている際に、筐体１８の内部の電気ヒータ２４の近傍の部材が異常な高温に曝されて損傷してしまうことを抑制することができる。
【００３６】
以下では、図３−図７のフローチャートを参照しながら、ガスファンヒータ２の動作について説明する。ガスファンヒータ２の運転開始が指示されると、制御部１４は、図３−図７の処理を実行する。
【００３７】
図３のステップＳ２では、制御部１４は、ガスファンヒータ２の運転モードが、電気ヒータ単独モードであるか否かを判断する。ガスファンヒータ２の運転モードが、バーナ単独モード、またはバーナ電気ヒータ併用モードである場合（ステップＳ２でＮＯの場合）、処理はステップＳ４へ進む。
【００３８】
ステップＳ４では、制御部１４は、過熱防止温度センサ３２の検出温度が第１所定温度（例えば４０℃）を超えているか否かを判断する。過熱防止温度センサ３２の検出温度が第１所定温度を超えている場合（ＹＥＳの場合）、バーナ１０のオーバーヒート防止動作が必要と判断し、処理はステップＳ６へ進む。過熱防止温度センサ３２の検出温度が第１所定温度を超えない場合（ＮＯの場合）、処理はステップＳ１０へ進む。
【００３９】
ステップＳ６では、制御部１４は、送風ファン１２を第１回転数（例えば６００ｒｐｍ）で駆動する。第１回転数は、バーナ１０のオーバーヒート防止動作で必要とされる送風量を実現するための送風ファン１２の回転数である。
【００４０】
ステップＳ８では、制御部１４は、ステップＳ６で送風ファン１２を第１回転数で駆動してから、第１所定時間（例えば２０秒）が経過するまで待機する。第１所定時間は、バーナ１０のオーバーヒート防止動作に必要とされる時間である。第１所定時間が経過すると（ＹＥＳとなると）、処理はステップＳ１０へ進む。
【００４１】
ステップＳ１０では、制御部１４は、送風ファン１２を第２回転数（例えば２００ｒｐｍ）で駆動する。第２回転数は、バーナ１０の点火時に必要とされる送風量を実現するための送風ファン１２の回転数である。
【００４２】
ステップＳ１２では、制御部１４は、開閉弁２６を開き、流量調整弁２７の開度を調整するとともに、イグナイタ２８で着火することで、バーナ１０を点火する。ステップＳ１２の後、処理は図４のステップＳ１４に進む。
【００４３】
図４のステップＳ１４では、制御部１４は、運転終了操作がされたか否かを判断する。運転終了操作がされていない場合（ＮＯの場合）、処理はステップＳ１６へ進む。
【００４４】
ステップＳ１６では、制御部１４は、ステップＳ１２でバーナ１０を点火してからの経過時間が、第２所定時間（例えば１時間）に達したか否かを判断する。第２所定時間は、バーナ１０による加熱を連続的に実行可能な時間である。バーナ１０を点火してからの経過時間が第２所定時間に達していない場合（ＮＯの場合）、処理はステップＳ１８へ進む。
【００４５】
ステップＳ１８では、制御部１４は、室内温度センサ３０で検出される温度が、暖房設定温度を超えているか否かを判断する。室内温度センサ３０で検出される温度が暖房設定温度を超えない場合（ＮＯの場合）、処理はステップＳ２０へ進む。
【００４６】
ステップＳ２０では、制御部１４は、流量調整弁２７の開度を調整して、バーナ１０の加熱能力を強にする。
【００４７】
ステップＳ２２では、制御部１４は、送風ファン１２の回転数を第３回転数（例えば９００ｒｐｍ）にする。第３回転数は、バーナ１０の加熱能力を強としてバーナ１０による空気の加熱を行なう際に送風ファン１２で必要とされる送風量を実現する回転数である。
【００４８】
ステップＳ２４では、制御部１４は、バーナ１０の消火後に行なう強制ファン動作の時間（強制ファン時間）を、第３所定時間（例えば１５５秒）に設定する。第３所定時間は、バーナ１０の消火時の加熱能力が強であり、バーナ１０の消火後に電気ヒータ２４での加熱を行わない場合の、強制ファン動作に必要な時間である。ステップＳ２４の後、処理はステップＳ１４へ戻る。
【００４９】
ステップＳ１８で、室内温度センサ３０で検出される温度が暖房設定温度を超える場合（ＹＥＳの場合）、処理はステップＳ２６へ進む。
【００５０】
ステップＳ２６では、制御部１４は、流量調整弁２７の開度を調整して、バーナ１０の加熱能力を弱にする。
【００５１】
ステップＳ２８では、制御部１４は、送風ファン１２の回転数を第４回転数（例えば５００ｒｐｍ）にする。第４回転数は、バーナ１０の加熱能力を弱としてバーナ１０による空気の加熱を行なう際に送風ファン１２で必要とされる送風量を実現する回転数である。第４回転数は第３回転数よりも小さい回転数である。
【００５２】
ステップＳ３０では、制御部１４は、現在設定されている強制ファン時間が第４所定時間（例えば９５秒）を超えているか否かを判断する。第４所定時間は、バーナ１０の消火前にある程度の時間にわたってバーナ１０の加熱能力が弱であり、バーナ１０の消火後に電気ヒータ２４での加熱を行わない場合の、強制ファン動作に必要な時間である。強制ファン時間が第４所定時間を超えない場合（ＮＯの場合）、処理はステップＳ３２へ進む。ステップＳ３２では、制御部１４は、強制ファン時間を第４所定時間に設定する。ステップＳ３２の後、処理はステップＳ１４へ戻る。
【００５３】
ステップＳ３０で強制ファン時間が第４所定時間を超えている場合（ＹＥＳの場合）、処理はステップＳ３４へ進む。ステップＳ３４では、制御部１４は、バーナ１０の加熱能力を弱としてから単位時間（例えば１秒）が経過するごとに、強制ファン時間を単位時間ずつ減算する。ステップＳ３４の後、処理はステップＳ１４へ戻る。
【００５４】
ステップＳ１４で運転終了操作がされた場合（ＹＥＳの場合）、またはステップＳ１６でバーナ１０を点火してからの経過時間が第２所定時間に達した場合（ＹＥＳの場合）、処理はステップＳ３６へ進む。
【００５５】
ステップＳ３６では、制御部１４は、開閉弁２６と流量調整弁２７を閉じて、バーナ１０を消火する。
【００５６】
ステップＳ３８では、制御部１４は、ガスファンヒータ２の運転モードがバーナ電気ヒータ併用モードであり、かつ運転停止操作がされていない場合であるか否かを判断する。ガスファンヒータ２の運転モードがバーナ単独モードである、あるいは運転停止操作がされている場合（ＮＯの場合）、処理はステップＳ４０へ進む。
【００５７】
ステップＳ４０では、制御部１４は、送風ファン１２を第５回転数（例えば６００ｒｐｍ）で駆動する。第５回転数は、バーナ１０の消火の直後の強制ファン動作において必要とされる送風ファン１２の送風量を実現する回転数である。
【００５８】
ステップＳ４２では、制御部１４は、運転開始操作がされたか否かを判断する。運転開始操作がされてない場合（ＮＯの場合）、処理はステップＳ４４へ進む。
【００５９】
ステップＳ４４では、制御部１４は、ステップＳ３６でバーナ１０を消火してからの経過時間が強制ファン時間に達したか否かを判断する。バーナ１０を消火してからの経過時間が強制ファン時間に達していない場合、処理はステップＳ４２へ戻る。バーナ１０を消火してからの経過時間が強制ファン時間に達した場合（ＹＥＳの場合）、処理はステップＳ４６へ進む。
【００６０】
ステップＳ４６では、制御部１４は、送風ファン１２を停止する。ステップＳ４６の後、制御部１４は、ガスファンヒータ２の運転を終了する。
【００６１】
ステップＳ４２で、運転開始操作がされた場合（ＹＥＳの場合）、処理はステップＳ４８へ進む。
【００６２】
ステップＳ４８では、制御部１４は、設定されている強制ファン時間から、ステップＳ３６でバーナ１０を消火してからの経過時間を減算した残り時間を、改めて強制ファン時間に設定する。ステップＳ４８の後、処理は図３のステップＳ２へ戻る。
【００６３】
図３のステップＳ２で、ガスファンヒータ２の運転モードが、電気ヒータ単独モードである場合（ＹＥＳの場合）、処理はステップＳ５０へ進む。
【００６４】
ステップＳ５０では、制御部１４は、強制ファン時間がすでに設定されているか否かを判断する。ステップＳ５０で強制ファン時間が設定されている場合（ＹＥＳの場合）、処理は図５のステップＳ５４へ進む。ステップＳ５０で強制ファン時間が設定されていない場合（ＮＯの場合）、処理はステップＳ５２へ進む。ステップＳ５２では、制御部１４は、強制ファン時間を第３所定時間に設定する。ステップＳ５２の後、処理は図５のステップＳ５４へ進む。
【００６５】
図４のステップＳ３８で、ガスファンヒータ２の運転モードがバーナ電気ヒータ併用モードであり、かつ運転停止操作がされていない場合（ＹＥＳの場合）、処理は図５のステップＳ５４へ進む。
【００６６】
図５のステップＳ５４では、制御部１４は、電気ヒータ２４による加熱を開始する。この際に、制御部１４は、電気ヒータ２４の加熱能力を、予め設定された加熱能力に調整する。
【００６７】
ステップＳ５６では、制御部１４は、過熱防止温度センサ３２の検出温度が第２所定温度（例えば５０℃）を超えているか否かを判断する。過熱防止温度センサ３２の検出温度が第２所定温度を超えている場合（ＹＥＳの場合）、処理はステップＳ５８へ進む。
【００６８】
ステップＳ５８では、制御部１４は、送風ファン１２を第５回転数で駆動する。
【００６９】
ステップＳ６０では、制御部１４は、電気ヒータ２４の加熱能力が強であるか否かを判断する。電気ヒータ２４の加熱能力が強である場合（ＹＥＳの場合）、処理はステップＳ６２へ進む。
【００７０】
ステップＳ６２では、制御部１４は、設定されている強制ファン時間から、第５所定時間（例えば４０秒）を減算する。第５所定時間は、電気ヒータ２４の加熱能力が強である場合に、強制ファン時間を短縮すべき時間である。ステップＳ６２の後、処理はステップＳ７２へ進む。
【００７１】
ステップＳ６０で、電気ヒータ２４の加熱能力が弱である場合（ＮＯの場合）、処理はステップＳ６４へ進む。
【００７２】
ステップＳ６４では、制御部１４は、設定されている強制ファン時間から、第６所定時間（例えば５０秒）を減算する。第６所定時間は、電気ヒータ２４の加熱能力が弱である場合に、強制ファン時間を短縮すべき時間である。第６所定時間は第５所定時間よりも大きく、従って電気ヒータ２４の加熱能力が弱である場合は、電気ヒータ２４の加熱能力が強である場合に比べて、強制ファン時間の短縮幅は大きい。ステップＳ６４の後、処理はステップＳ７２へ進む。
【００７３】
ステップＳ５６で、過熱防止温度センサ３２の検出温度が第２所定温度を超えない場合（ＮＯの場合）、処理はステップＳ６６へ進む。
【００７４】
ステップＳ６６では、制御部１４は、過熱防止温度センサ３２の検出温度が第３所定温度（例えば４０℃）を超えているか否かを判断する。第３所定温度は第２所定温度よりも低い温度である。過熱防止温度センサ３２の検出温度が第３所定温度を超えている場合（ＹＥＳの場合）、処理はステップＳ６８へ進む。
【００７５】
ステップＳ６８では、制御部１４は、送風ファン１２を第６回転数（例えば４００ｒｐｍ）で駆動する。第６回転数は、第５回転数よりも低い回転数である。
【００７６】
ステップＳ７０では、制御部１４は、強制ファン時間を第７所定時間（例えば６０秒）に設定する。第７所定時間は、第３所定時間や第４所定時間よりも短い時間である。ステップＳ７０の後、処理はステップＳ７２へ進む。
【００７７】
ステップＳ７２では、制御部１４は、ステップＳ５４で電気ヒータ２４での加熱を開始してからの経過時間が強制ファン時間に達するまで待機する。電気ヒータ２４での加熱を開始してからの経過時間が強制ファン時間に達すると（ＹＥＳとなると）、処理は図６のステップＳ７４へ進む。
【００７８】
図６のステップＳ７４では、制御部１４は、電気ヒータ２４の加熱能力が強であるか否かを判断する。電気ヒータ２４の加熱能力が強である場合（ＹＥＳの場合）、処理はステップＳ７６へ進む。
【００７９】
ステップＳ７６では、制御部１４は、送風ファン１２を第７回転数（例えば５００ｒｐｍ）で駆動する。第７回転数は、電気ヒータ２４の加熱能力を強として電気ヒータ２４による空気の加熱を行なう際に送風ファン１２で必要とされる送風量を実現する回転数である。第７回転数は、電気ヒータ２４の加熱能力が強である場合に、送風ファン１２が通常行なう通常ファン動作での回転数といえる。第７回転数は、第５回転数よりも低い回転数である。ステップＳ７６の後、処理はステップＳ８０へ進む。
【００８０】
ステップＳ７４で、電気ヒータ２４の加熱能力が弱である場合（ＮＯの場合）、処理はステップＳ７８へ進む。
【００８１】
ステップＳ７８では、制御部１４は、送風ファン１２を第８回転数（例えば４００ｒｐｍ）で駆動する。第８回転数は、電気ヒータ２４の加熱能力を弱として電気ヒータ２４による空気の加熱を行なう際に送風ファン１２で必要とされる送風量を実現する回転数である。第８回転数は、電気ヒータ２４の加熱能力が弱である場合に、送風ファン１２が通常行なう通常ファン動作での回転数といえる。第８回転数は、第５回転数よりも低い回転数であり、第７回転数よりも低い回転数である。ステップＳ７８の後、処理はステップＳ８０へ進む。
【００８２】
ステップＳ８０では、制御部１４は、運転停止条件が満たされるまで待機する。運転停止条件が満たされると（ＹＥＳとなると）、処理はステップＳ８２へ進む。
【００８３】
ステップＳ８２では、制御部１４は、電気ヒータ２４への通電を停止して、電気ヒータ２４による加熱を終了する。
【００８４】
ステップＳ８４では、制御部１４は、送風ファン１２を停止する。ステップＳ８６の後、制御部１４は、ガスファンヒータ２の運転を終了する。
【００８５】
図５のステップＳ６６で、過熱防止温度センサ３２の検出温度が第３所定温度を超えない場合（ＮＯの場合）、処理は図７のステップＳ８６へ進む。
【００８６】
図７のステップＳ８６では、制御部１４は、送風ファン１２を第９回転数（例えば３００ｒｐｍ）で駆動する。第９回転数は、第７回転数や第８回転数よりも小さい回転数である。
【００８７】
ステップＳ８８では、制御部１４は、図５のステップＳ５４で電気ヒータ２４での加熱を開始してからの経過時間が、第８所定時間（例えば６０秒）に達するまで待機する。電気ヒータ２４による加熱を開始してからの経過時間が第８所定時間に達すると（ＹＥＳとなると）、処理はステップＳ９０へ進む。
【００８８】
ステップＳ９０では、制御部１４は、電気ヒータ２４の加熱能力が強であるか否かを判断する。電気ヒータ２４の加熱能力が強である場合（ＹＥＳの場合）、処理はステップＳ９２へ進む。
【００８９】
ステップＳ９２では、制御部１４は、送風ファン１２を第７回転数で駆動する。ステップＳ９２の後、処理はステップＳ９６へ進む。
【００９０】
ステップＳ９０で、電気ヒータ２４の加熱能力が弱である場合（ＮＯの場合）、処理はステップＳ９４へ進む。
【００９１】
ステップＳ９４では、制御部１４は、送風ファン１２を第８回転数で駆動する。ステップＳ９４の後、処理はステップＳ９６へ進む。
【００９２】
ステップＳ９６では、制御部１４は、運転停止条件が満たされるまで待機する。運転停止条件が満たされると（ＹＥＳとなると）、処理はステップＳ９８へ進む。
【００９３】
ステップＳ９８では、制御部１４は、電気ヒータ２４への通電を停止して、電気ヒータ２４による加熱を終了する。
【００９４】
ステップＳ１００では、制御部１４は、送風ファン１２を停止する。ステップＳ１００の後、制御部１４は、ガスファンヒータ２の運転を終了する。
【００９５】
図８−図１０は、ガスファンヒータ２の運転モードがバーナ電気ヒータ併用モードであって、バーナ１０を消火した後に、直ちに電気ヒータ２４での加熱が開始される場合の、送風ファン１２の回転数の経時的変化を示している。
【００９６】
図８は、バーナ１０を消火する時点でのバーナ１０の加熱能力が強であり、電気ヒータ２４の加熱能力が強である場合の、送風ファン１２の回転数の経時的変化を示している。バーナ１０を消火する時点でのバーナ１０の加熱能力が強である場合、電気ヒータ２４での加熱を開始する時点で、過熱防止温度センサ３２はバーナ１０での加熱によって高温となっている。この場合、過熱防止温度センサ３２を正常に動作させるためには、高い送風量で送風ファン１２の強制ファン動作を行い、過熱防止温度センサ３２を冷却する必要がある。この場合、本実施例のガスファンヒータ２では、図５のステップＳ５６、Ｓ５８、Ｓ６０、Ｓ６２、Ｓ７２の処理によって、電気ヒータ２４の加熱を開始してから、強制ファン時間が経過するまでの間、電気ヒータ２４の加熱能力を強とした時の通常ファン動作における送風ファン１２の回転数（第７回転数）よりも高い回転数（第５回転数）で、送風ファン１２を動作させる。これによって、過熱防止温度センサ３２を正常に動作させることができる。なお、この場合の強制ファン時間（第３所定時間から第５所定時間を減算した時間）は、バーナ１０を消火した後に電気ヒータ２４での加熱を行わない場合の強制ファン時間（第３所定時間）よりも短く設定されている。これによって、ユーザに冷風感を与えることを抑制することができる。
【００９７】
図９は、バーナ１０を消火する時点でのバーナ１０の加熱能力が強であり、電気ヒータ２４の加熱能力が弱である場合の、送風ファン１２の回転数の経時的変化を示している。この場合も、図８の場合と同様に、電気ヒータ２４での加熱を開始する時点で、過熱防止温度センサ３２はバーナ１０での加熱によって高温となっている。この場合、本実施例のガスファンヒータ２では、図５のステップＳ５６、Ｓ５８、Ｓ６０、Ｓ６４、Ｓ７２の処理によって、電気ヒータ２４の加熱を開始してから、強制ファン時間が経過するまでの間、電気ヒータ２４の加熱能力を弱とした時の通常ファン動作における送風ファン１２の回転数（第８回転数）よりも高い回転数（第５回転数）で、送風ファン１２を動作させる。これによって、過熱防止温度センサ３２を正常に動作させることができる。なお、この場合の強制ファン時間（第３所定時間から第６所定時間を減算した時間）は、バーナ１０を消火した後に電気ヒータ２４での加熱を行わない場合の強制ファン時間（第３所定時間）よりも短く設定されている。これによって、ユーザに冷風感を与えることを抑制することができる。また、電気ヒータ２４の加熱能力が弱の場合には、電気ヒータ２４の加熱能力が強の場合に比べて、強制ファン動作時にユーザに冷風感を与えるおそれが大きい。このため、図９の場合の強制ファン時間（第３所定時間から第６所定時間を減算した時間）は、図８の場合の強制ファン時間（第３所定時間から第５所定時間を減算した時間）よりもさらに短く設定されている。これによって、ユーザに冷風感を与えることを抑制することができる。
【００９８】
図１０は、バーナ１０を消火する時点でバーナ１０の加熱能力が強から弱に切り換わってから十分に時間が経っており、電気ヒータ２４の加熱能力が強である場合の、送風ファン１２の回転数の経時的変化を示している。この場合は、電気ヒータ２４での加熱を開始する時点で、過熱防止温度センサ３２はそれほど高温となっていないので、高い送風量で送風ファン１２を駆動して過熱防止温度センサ３２を冷却する必要はない。むしろ、電気ヒータ２４の温度が上昇するまでの間は、送風ファン１２を高い回転数で駆動すると、ユーザに冷風感を与えるおそれがある。この場合、本実施例のガスファンヒータ２では、図５のステップＳ５６、Ｓ６６、Ｓ６８、Ｓ７０、Ｓ７２の処理によって、電気ヒータ２４の加熱を開始してから、強制ファン時間が経過するまでの間、電気ヒータ２４の加熱能力を強とした時の通常ファン動作における送風ファン１２の回転数（第７回転数）よりも低い回転数（第６回転数）で、送風ファン１２を動作させる。これによって、ユーザに冷風感を与えることを抑制することができる。
【００９９】
図１１−図１４は、当初のガスファンヒータ２の運転モードがバーナ単独モードであって、バーナ１０を消火した後に、ガスファンヒータ２の運転モードをヒータ単独モードに切り換えて、再び運転が開始された場合の、送風ファン１２の回転数の経時的変化を示している。
【０１００】
図１１は、バーナ１０を消火する時点でのバーナ１０の加熱能力が強であり、バーナ１０の消火から電気ヒータ２４による加熱の開始までにそれほど時間が経過しておらず、電気ヒータ２４の加熱能力が強である場合の、送風ファン１２の回転数の経時的変化を示している。この場合、過熱防止温度センサ３２はバーナ１０での加熱によって高温となっており、電気ヒータ２４での加熱を開始するまでに、まだ十分に冷却がなされていない。この場合、本実施例のガスファンヒータ２では、図５のステップＳ５６、Ｓ５８、Ｓ６０、Ｓ６２、Ｓ７２の処理によって、電気ヒータ２４での加熱を開始してから、強制ファン時間が経過するまでの間、電気ヒータ２４の加熱能力を強とした時の通常ファン動作における送風ファン１２の回転数（第７回転数）よりも高い回転数（第５回転数）で、送風ファン１２を動作させる。これによって、過熱防止温度センサ３２を正常に動作させることができる。なお、この場合のバーナ１０を消火した後の強制ファン時間、すなわち電気ヒータ２４の加熱を開始する前の強制ファン時間と、電気ヒータ２４の加熱を開始した後の強制ファン時間の合計（第３所定時間から第５所定時間を減算した時間）は、バーナ１０を消火した後に電気ヒータ２４での加熱を行わない場合の強制ファン時間（第３所定時間）よりも短く設定されている。これによって、ユーザに冷風感を与えることを抑制することができる。
【０１０１】
図１２は、バーナ１０を消火する時点でのバーナ１０の加熱能力が強であり、バーナ１０の消火から電気ヒータ２４による加熱の開始までにそれほど時間が経過しておらず、電気ヒータ２４の加熱能力が弱である場合の、送風ファン１２の回転数の経時的変化を示している。この場合も、図１１の場合と同様に、過熱防止温度センサ３２はバーナ１０での加熱によって高温となっており、電気ヒータ２４での加熱を開始するまでに、まだ十分に冷却がなされていない。この場合、本実施例のガスファンヒータ２では、図５のステップＳ５６、Ｓ５８、Ｓ６０、Ｓ６４、Ｓ７２の処理によって、電気ヒータ２４の加熱を開始してから、強制ファン時間が経過するまでの間、電気ヒータ２４の加熱能力を弱とした時の通常ファン動作における送風ファン１２の回転数（第８回転数）よりも高い回転数（第５回転数）で、送風ファン１２を動作させる。これによって、過熱防止温度センサ３２を正常に動作させることができる。なお、この場合のバーナ１０を消火した後の強制ファン時間（第３所定時間から第６所定時間を減算した時間）は、バーナ１０を消火した後に電気ヒータ２４での加熱を行わない場合の強制ファン時間（第３所定時間）よりも短く設定されている。これによって、ユーザに冷風感を与えることを抑制することができる。また、電気ヒータ２４の加熱能力が弱の場合には、電気ヒータ２４の加熱能力が強の場合に比べて、強制ファン動作時にユーザに冷風感を与えるおそれが大きい。このため、図１２の場合のバーナ１０を消火した後の強制ファン時間（第３所定時間から第６所定時間を減算した時間）は、図１１の場合のバーナ１０を消火した後の強制ファン時間（第３所定時間から第５所定時間を減算した時間）よりもさらに短く設定されている。これによって、ユーザに冷風感を与えることを抑制することができる。
【０１０２】
図１３は、バーナ１０を消火する時点でのバーナ１０の加熱能力が強であり、バーナ１０の消火から電気ヒータ２４による加熱の開始までにある程度の時間が経過しており、電気ヒータ２４の加熱能力が強である場合の、送風ファン１２の回転数の経時的変化を示している。この場合は、電気ヒータ２４での加熱を開始する時点で、過熱防止温度センサ３２はそれほど高温となっていないので、高い送風量で送風ファン１２を駆動して過熱防止温度センサ３２を冷却する必要はない。むしろ、電気ヒータ２４の温度が上昇するまでの間は、送風ファン１２を高い回転数で駆動すると、ユーザに冷風感を与えるおそれがある。この場合、本実施例のガスファンヒータ２では、図５のステップＳ５６、Ｓ６６、Ｓ６８、Ｓ７０、Ｓ７２の処理によって、電気ヒータ２４の加熱を開始してから、強制ファン時間が経過するまでの間、電気ヒータ２４の加熱能力を強とした時の通常ファン動作における送風ファン１２の回転数（第７回転数）よりも低い回転数（第６回転数）で、送風ファン１２を動作させる。これによって、ユーザに冷風感を与えることを抑制することができる。
【０１０３】
図１４は、バーナ１０を消火する時点でのバーナ１０の加熱能力が強であり、バーナ１０の消火から電気ヒータ２４による加熱の開始までに長時間が経過しており、電気ヒータ２４の加熱能力が強である場合の、送風ファン１２の回転数の経時的変化を示している。この場合は、電気ヒータ２４での加熱を開始する時点で、過熱防止温度センサ３２は十分に冷却されており、高い送風量で送風ファン１２を駆動して過熱防止温度センサ３２を冷却する必要はない。むしろ、電気ヒータ２４の温度が上昇するまでの間は、送風ファン１２を高い回転数で駆動すると、ユーザに冷風感を与えるおそれがある。この場合、本実施例のガスファンヒータ２では、図５のステップＳ５６、Ｓ６６、図７のステップＳ８６、Ｓ８８の処理によって、電気ヒータ２４の加熱を開始してから、強制ファン時間が経過するまでの間、電気ヒータ２４の加熱能力を強とした時の通常ファン動作における送風ファン１２の回転数（第７回転数）よりも低い回転数（第９回転数）で、送風ファン１２を動作させる。これによって、ユーザに冷風感を与えることを抑制することができる。また、図１４の場合の強制ファン動作における送風ファン１２の回転数（第９回転数）は、図１３の場合の強制ファン動作における送風ファン１２の回転数（第６回転数）よりもさらに低く設定されている。これによって、ユーザに冷風感を与えることを抑制することができる。
【０１０４】
上記の実施例では、図５のステップＳ５６、Ｓ６６に示すように、制御部１４が、過熱防止温度センサ３２の検出温度に応じて、送風ファン１２に強制ファン動作を実行させる場合について説明した。上記の代わりに、制御部１４は、電気ヒータ２４による加熱を開始する前のバーナ１０による加熱態様と、電気ヒータ２４による加熱を開始するタイミングに応じて、送風ファン１２に強制ファン動作を実行させる構成としてもよい。例えば、図５のステップＳ５６を、バーナ１０が加熱能力を強とした状態で消火した時点、あるいはバーナ１０の加熱能力が強から弱に切り換わった時点から電気ヒータ２４の加熱を開始する時点までの経過時間が所定時間（例えば１００秒）以内である場合に、ステップＳ５６へ進み、それ以外の場合にステップＳ６６へ進むような処理としてもよい。同様に、ステップＳ６６を、バーナ１０が加熱能力を強とした状態で消火した時点、あるいはバーナ１０の加熱能力が強から弱に切り換わった時点から電気ヒータ２４の加熱を開始する時点までの経過時間が第３所定時間を超えており、かつバーナ１０が消火した時点から電気ヒータ２４の加熱を開始する時点までの経過時間が第４所定時間を超えている場合に、図７のステップＳ８６へ進み、それ以外の場合にステップＳ６８へ進むような処理としてもよい。
【０１０５】
上記の実施例では、温風暖房機の一実施形態としてガスファンヒータ２を例示して説明したが、本明細書が開示する温風暖房機はこれに限られるものではなく、例えば、石油ファンヒータ、ガスストーブ、石油ストーブなどであってもよい。
【０１０６】
上記の実施例では、温風暖房機が、給気口を介して室内から取り込んだ空気を、バーナの燃焼用空気として利用し、バーナからの燃焼排ガスを、吹出口を介して室内に送り出す、いわゆる開放式の温風暖房機である場合について説明したが、本明細書が開示する温風暖房機はこれに限られるものではない。本明細書が開示する温風暖房機は、例えば、給気口を介して室内から取り込んだ空気を、バーナの燃焼用空気として利用し、バーナからの燃焼排ガスを、室外に排出する、いわゆる半密閉式の温風暖房機であってもよいし、室外から取り込んだ空気を、バーナの燃焼用空気として利用し、バーナからの燃焼排ガスを、室外に排出する、いわゆる密閉式の温風暖房機であってもよい。
【０１０７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０８】
２        ：ガスファンヒータ
４        ：給気口
６        ：吹出口
８        ：ガス供給管
１０      ：バーナ
１２      ：送風ファン
１４      ：制御部
１６      ：操作部
１８      ：筐体
２０      ：内部空気通路
２２      ：エアフィルタ
２４      ：電気ヒータ
２６      ：開閉弁
２７      ：流量調整弁
２８      ：イグナイタ
３０      ：室内温度センサ
３２      ：過熱防止温度センサ
３４      ：運転スイッチ
３６      ：モード選択部
３８      ：温度設定部
４０      ：表示部
４１      ：異常報知ブザー
４２      ：メモリ
４４      ：タイマ
【図１】
2018141578.tif 000003
【図２】
2018141578.tif 000004
【図３】
2018141578.tif 000005
【図４】
2018141578.tif 000006
【図５】
2018141578.tif 000007
【図６】
2018141578.tif 000008
【図７】
2018141578.tif 000009
【図８】
2018141578.tif 000010
【図９】
2018141578.tif 000011
【図１０】
2018141578.tif 000012
【図１１】
2018141578.tif 000013
【図１２】
2018141578.tif 000014
【図１３】
2018141578.tif 000015
【図１４】
2018141578.tif 000016